(57)【特許請求の範囲】
【請求項１】
着座者が着座する座面部と、着座者が着座した際に上半身をもたれ掛かる背当て部とを、後方へ膨出する連結部を介して連設する和座椅子に対し、
前記座面部を設置可能とする台座と、当該台座を所定の高さに嵩上げする脚とで少なくとも構成される高座椅子台座であって、
前記台座の後端に、前記背当て部の後方非接触位置で上方に突出し、前記背当て部が後方へ傾倒した際に当接する背当て受けを形成したことを特徴とする高座椅子台座。
【請求項２】
前記背当て受けを、前記座面より３０ｍｍ以上２００ｍｍ以下の高さとし、
前記背当て受けの高さの頂点位置と前記背当て部との水平方向の間隔を１００ｍｍ以下（０ｍｍを除く）としたことを特徴とする請求項１に記載の高座椅子台座。
【請求項３】
前記連結部の位置で前記和座椅子を前記高座椅子台座に固定する固定手段を備えたことを特徴とする請求項１又は２に記載の高座椅子台座。
【請求項４】
前記固定手段を、前記背当て受けと前記連結部とに亘って巻回されるベルトとしたことを特徴とする請求項３に記載の高座椅子台座。
【請求項５】
前記固定手段を、前記背当て受けと前記連結部とを挟持するクランプとしたことを特徴とする請求項３に記載の高座椅子台座。
【発明の詳細な説明】
【技術分野】
【０００１】
本発明は、畳やフローリング等の床面に載置して使用する和座椅子を、床面より一定の高さに嵩上げし、着座者が自由な姿勢をとることができる高座椅子台座に関するものである。
【背景技術】
【０００２】
従来より、高座椅子台座としては、後方枠板部に形成した開口部に、和式の座椅子（和座椅子）の底面部を挿入して枠体に装着可能とするものが知られている（特許文献１）。
【先行技術文献】
【特許文献】
【０００３】
【特許文献１】特開２００８−２２０９２１号公報
【発明の概要】
【発明が解決しようとする課題】
【０００４】
しかしながら、このような和座椅子を装着した高座椅子台座では、着座者が和座椅子に着座して上半身を背もたれにもたれ掛かると、背もたれが撓んで上半身を支える構造であるものの、上半身のもたれ掛かり方が過度の状態では、背もたれ自体を支持する支持部材がないため、背もたれと底面部との連設部分で破断し、着座者が後方に転倒して危険であった。
また、和座椅子の底面部を開口部に挿入して固定する構造では、和座椅子の固定が不安定であり、底面部が開口部から抜けてしまう場合も後方に転倒して危険であった。
【０００５】
そこで、本発明の目的は、上記従来の和座椅子の問題点を解消し、和座椅子が破断することを防止すると共に、着座者が転倒することのない高座椅子台座を提供する。
【課題を解決するための手段】
【０００６】
本発明のうち、請求項１に記載された発明は、着座者が着座する座面部と、着座者が着座した際に上半身をもたれ掛かる背当て部とを、後方へ膨出する連結部を介して連設する和座椅子に対し、
前記座面部を設置可能とする台座と、当該台座を所定の高さに嵩上げする脚とで少なくとも構成される高座椅子台座であって、
前記台座の後端に、前記背当て部の後方非接触位置で上方に突出し、前記背当て部が後方へ傾倒した際に当接する背当て受けを形成したことを特徴とするものである。
【０００７】
請求項２に記載された発明は、請求項１に記載の発明に加え、前記背当て受けを、前記座面より３０ｍｍ以上２００ｍｍ以下の高さとし、
前記背当て受けの高さの頂点位置と前記背当て部との水平方向の間隔を１００ｍｍ以下（０ｍｍを除く）としたことを特徴とするものである。
【０００８】
請求項３に記載された発明は、請求項１又は２に記載の発明に加え、前記連結部の位置で前記和座椅子を前記高座椅子台座に固定する固定手段を備えたことを特徴とするものである。
【０００９】
請求項４に記載された発明は、請求項３に記載の発明に加え、前記固定手段を、前記背当て受けと前記連結部とに亘って巻回されるベルトとしたことを特徴とするものである。
【００１０】
請求項５に記載された発明は、請求項３に記載の発明に加え、前記固定手段を、前記背当て受けと前記連結部とを挟持するクランプとしたことを特徴とするものである。
【発明の効果】
【００１１】
請求項１に記載された発明は、もたれ掛かり方が過度の状態にあっても、和座椅子の破断を防止することから、着座者は転倒することがなく安全である。また、形状がシンプルであることから製作が容易であり、コストを削減することが可能である。
【００１２】
請求項２に記載された発明は、和座椅子の破断を更に防止することが可能となる。
【００１３】
請求項３に記載された発明は、和座椅子の装着が強固に行われ、和座椅子の破断を更に防止することが可能となる。加えて、着座者が着座した状態では、着座者に接触することがなく快適である。
【００１４】
請求項４及び５に記載された発明は、構造がシンプルであり、装着・取り外し作業が簡単である。
【図面の簡単な説明】
【００１５】
【図１】（ａ）は高座椅子台座に和座椅子を載せた状態を示し、（ｂ）は高座椅子台座を示す説明図である。
【図２】（ａ）はベルトによって和座椅子を高座椅子台座に固定した状態を示し、（ｂ）は着座者が着座した状態の側面を示す説明図である。
【図３】（ａ）は着座者が着座した状態を示し、（ｂ）は着座者が上半身を背当てにもたれ掛かる状態を示す説明図である。
【図４】高座椅子台座の変更例を示す説明図である。
【図５】和座椅子の上に座布団を載置した状態を示す説明図である。
【図６】固定手段の変更例を示す説明図である。
【図７】固定手段の変更例を示す説明図である。
【発明を実施するための形態】
【００１６】
以下、本発明の高座椅子台座の一実施形態について、図面に基づいて詳細に説明する。
【００１７】
図１は、高座椅子台座に和座椅子を載せた状態を示す説明図である。図２は、ベルトによって和座椅子を高座椅子台座に固定した状態を示す説明図である。図３は、着座者が着座し、上半身を背当てにもたれ掛かる状態を示す説明図である。
【００１８】
先ず初めに、図１（ａ）に示すように、高座椅子台座１は、和座椅子１０を床面より所定の高さに嵩上げするもので、図１（ｂ）に示すように、略四角形状に折り曲げたパイプ材の後端側を、上方へ湾曲状に突出させて正面視台形枠状の背当て受け３を形成すると共に、和座椅子１０の座面部１１を載置可能とする台座２と、この台座２の左右に縦立した状態で固着される脚４，５とで構成される。
また、和座椅子１０は、着座者が着座する座面部１１とくの字状に湾曲した背受け部１２とを、後方へ膨出する連結部１３を介して連設するＬ字形状の椅子である。
【００１９】
この場合、図２（ａ）に示すように、背当て受け３と連結部１３とに亘って巻回するベルト６と、このベルト６の両端を締結するバックル７とからなる固定手段８を設けてもよい。この固定手段８は、図２（ｂ）に示すように、連結部１３に取り付けられ、連結部１３と背当て受け３とにベルト６を巻回してバックル７で締結すると、和座椅子１０が高座椅子台座１に固定手段８によって固定されることとなる。一方、和座椅子１０を高座椅子台座１から取り外す場合は、上記と逆の手順によって行う。
【００２０】
このようにして構成される高座椅子台座１に装着した和座椅子１０の破断の防止は、以下のように行われる。
先ず初めに、図１（ｂ）に示す高座椅子台座１の台座２に、図１（ａ）に示すように、和座椅子１０の座面部１１を設置する。その後、図３（ａ）に示すように、着座者３０が座面部１１に着座すると、着座者３０の背中（上半身）が背当て部１２に当接する状態となる。
この状態から、着座者３０が上半身を矢印が示す方向に更にもたれ掛かると、背当て部１２が後方に曲げられることとなる。更に後方へ上半身をもたれ掛かると、図３（ｂ）に示すように、背当て部１２の付け根部分が背当て受け３に当接し、背当て部１２がそれ以上後方に曲がらない状態となる。ここで、図２（ｂ）に示すように、背当て受け３の高さＨは台座２の座面から３０ｍｍ以上２００ｍｍ以下とし、背当て受け３の頂点位置と背当て部１２との水平方向の間隔Ｌは、高さＨが約３０ｍｍの位置では３０ｍｍ以下とし、約２００ｍｍの位置では１００ｍｍ以下とするのが望ましい。
【００２１】
上記の如く構成される高座椅子台座１は、台座２の後端に、背当て部１２の後方非接触位置で上方に突出し、この背当て部１２が後方へ傾倒した際に当接する背当て受け３を形成したことにより、着座者３０のもたれ掛かり方が過度の状態であっても、和座椅子１０の破断を防止することから、着座者３０が転倒することがなく安全である。また、形状がシンプルであることから製作が容易であり、コストを削減することが可能である。特に、背当て受け３を、正面視台形枠状に形成したことにより、背当て部１２の背当て受け３への当接が点接触ではなく、線接触で行われることで外力が分散され、和座椅子１０の破断を更に防止することが可能となる。
【００２２】
他にも、背当て受け３を、座面２より３０ｍｍ以上２００ｍｍ以下の高さとし、背当て受け３の高さの頂点位置と背当て部１２との水平方向の間隔Ｌを１００ｍｍ以下（０ｍｍを除く）としたことにより、和座椅子１０の破断を更に防止することが可能となる。
【００２３】
更に、連結部１３の位置で和座椅子１０を高座椅子台座１に固定する固定手段８を備えたことにより、和座椅子１０の高座椅子台座１への固定が強固に行われ、和座椅子１０の破断を更に防止することが可能となる。加えて、着座者３０が着座した状態では、着座者３０に接触することがなく快適である。
【００２４】
また、固定手段８を、背当て受け３と連結部１３とに亘って巻回されるベルト６としたことにより、構造がシンプルであり、固定・取り外し作業が簡単である。
【００２５】
なお、本発明にかかる高座椅子台座は、上記した実施の形態に何ら限定されるものではなく、本発明の趣旨を逸脱しない範囲で、台座や脚、背当て受け部の形状、大きさ等を適宜変更することができる。
【００２６】
例えば、図１（ｂ）では、高座椅子台座１は、金属製のパイプ材を折り曲げ形成したものであるが、必ずしもこのような材質である必要はなく、図４に示すように、木材を組み立てて高座椅子台座２５としても良く、適宜変更可能である。
【００２７】
また、図５に示すように、和座椅子１０の座面部１１上に座布団２１を載置して、着座するようにしても良い。
【００２８】
他にも、固定手段８は、ベルト６を巻回してバックル７で締結する構成であるが、クランプで挟持する構成としても良い。この場合、図６に示すように、固定手段３８は、背当て受け３と連結部１３とをクランプ挟持したことにより、構造がシンプルであり、固定・取り外し作業が簡単である。
具体的には、背当て受け３の湾曲部分の一方に、固定バー３５の係止片３６を回動可能に係止し、矢印が示す方向に回転すると、連結部１３に当接した後、先端のコーナーキャッチクリップ３７が背当て受け３側に設けられるクリップ片（図示せず）に係止して、背当て受け３と被背当て部１３とを一体に固定する。
また、ベルト６の締結は、バックル７によるものである必要はなく、面ファスナーによるものとしても良く、適宜変更可能である。
他にも、図１（ａ）に示す状態において、表側からボルトを挿入して背当て受け３に螺合し、連結部１３を一体に固定する構造としても良い。
【００２９】
また、図７に示すように、背当て受け３を直角に湾曲させても良い。この場合、背当て部１２を後方に曲げられるようにするために、連結部１３の膨出部分と背当て受け３の湾曲部分との間に隙間を設ける必要がある。従って、これらの間に移動防止部材４０を設置した後、ベルト６を巻回してバックル７で締結する固定手段８によって、背当て受け３と連結部１３と共に挟持する。
【符号の説明】
【００３０】
１・・高座椅子台座、２・・台座、３・・背当て受け、４・・脚、５・・脚、６・・ベルト、７・・バックル、８・・固定手段、１０・・和座椅子、１１・・座面部、１２・・背当て部、１３・・連結部、２０・・和座椅子、２１・・座布団、２５・・和座椅子、３０・・着座者、３５・・固定バー、３６・・係止片、３７・・コーナーキャッチクリップ、３８・・固定手段、４０・・移動防止部材。
【図１】
0006596276.tif 000002
【図２】
0006596276.tif 000003
【図３】
0006596276.tif 000004
【図４】
0006596276.tif 000005
【図５】
0006596276.tif 000006
【図６】
0006596276.tif 000007
【図７】
0006596276.tif 000008